【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
少なくとも３つのドライブの論理的に隣接するグループであって、前記ドライブのそれぞれは、（ｉ）先のドライブの圧縮データを格納するように構成された第１の領域と、（ｉｉ）前記ドライブの非圧縮データを格納するように構成された第２の領域と、（ｉｉｉ）次のドライブの圧縮データを格納するように構成された第３の領域と、（ｉｖ）ドライブコントローラに前記非圧縮データを送信するように構成された第１のポートと、（ｖ）前記ドライブの間で前記圧縮データを送信するように構成された第２のポートと、を有することを特徴とする論理的に隣接するグループと、
前記論理的に隣接するグループの前記次のドライブに接続された第１のループと、
前記論理的に隣接するグループの前記先のドライブに接続された第２のループと、
前記第２のポートを通じて前記圧縮データを送信する前に、前記ドライブのそれぞれに格納された前記圧縮及び前記非圧縮データを圧縮及び解凍するように構成された圧縮／解凍回路であって、前記ドライブの１つのための前記非圧縮データは、前記ドライブの他の少なくとも２つに圧縮データとして格納されることを特徴とする圧縮／解凍回路と、
を備える装置。
【請求項２】
前記論理的に隣接するグループにおける前記ドライブの１つの前記第２の領域は、前記次のドライブの前記第１の領域に接続されることを特徴とする請求項１に記載の装置。
【請求項３】
前記論理的に隣接するグループにおける前記ドライブの１つの前記第２の領域は、前記先のドライブの前記第３の領域に接続されることを特徴とする請求項１に記載の装置。
【請求項４】
前記第１のループの一部は、前記先のドライブの前記第１の領域に前記ドライブの１つの前記第２の領域を接続することを特徴とする請求項１に記載の装置。
【請求項５】
前記第２のループの一部は、前記次のドライブの前記第３の領域に前記ドライブの１つの前記第２の領域を接続することを特徴とする請求項１に記載の装置。
【請求項６】
前記ドライブの１つの前記第１の領域の圧縮データは、前記第１のループの一部を通じてアクセス可能であることを特徴とする請求項１に記載の装置。
【請求項７】
前記ドライブの１つの前記第３の領域の圧縮データは、前記第２のループの一部を通じてアクセス可能であることを特徴とする請求項１に記載の装置。
【請求項８】
マッピング情報は、（ｉ）ストレージアレイコントローラに組み込まれ、（ｉｉ）ドライブ故障及び／又はエラー修正の場合に前記ドライブのデータを復元するために用いられ、（ｉｉｉ）前記非圧縮データの前記送信と並列で実現されるファームウェアによって保存されることを特徴とする請求項１に記載の装置。
【請求項９】
前記圧縮／解凍回路の専用の論理は、コントローラファームウェアＲＡＩＤエンジンコードに埋め込まれることを特徴とする請求項１に記載の装置。
【請求項１０】
前記圧縮／解凍回路の専用の論理は、ＡＳＩＣ周辺装置に転送されることを特徴とする請求項１に記載の装置。
【請求項１１】
前記ドライブの前記第２のポートのそれぞれは、前記圧縮データを格納及び検索するための専用のものであることを特徴とする請求項１に記載の装置。
【請求項１２】
前記ドライブの前記第２のポートのそれぞれは、前記非圧縮データを送信するために用いられる前記第１のポートに加えて用いられる冗長なドライブチャネルを備えることを特徴とする請求項１に記載の装置。
【請求項１３】
前記装置は、パリティを用いることなしに冗長性と耐故障性を確立することを特徴とする請求項１に記載の装置。
【請求項１４】
少なくとも３つのドライブの論理的に隣接するグループを実現するための手段であって、前記ドライブのそれぞれは、（ｉ）先のドライブの圧縮データを格納するように構成された第１の領域と、（ｉｉ）前記ドライブの非圧縮データを格納するように構成された第２の領域と、（ｉｉｉ）次のドライブの圧縮データを格納するように構成された第３の領域と、（ｉｖ）ドライブコントローラに前記非圧縮データを送信するように構成された第１のポートと、（ｖ）前記ドライブの間で前記圧縮データを送信するように構成された第２のポートと、を有することを特徴とする論理的に隣接するグループを実現するための手段と、
前記論理的に隣接するグループの前記次のドライブに接続された第１のループを実現するための手段と、
前記論理的に隣接するグループの前記先のドライブに接続された第２のループを実現するための手段と、
前記第２のポートを通じて前記圧縮データを送信する前に、前記ドライブのそれぞれに格納された前記圧縮及び前記非圧縮データを圧縮及び解凍するように構成された圧縮／解凍回路を実現するための手段であって、前記ドライブの１つのための前記非圧縮データは、前記ドライブの他の少なくとも２つに圧縮データとして格納されることを特徴とする手段と、
を備える装置。
【請求項１５】
前記装置は、パリティを用いることなしに冗長性と耐故障性を確立することを特徴とする請求項１４に記載の装置。
【請求項１６】
（Ａ）少なくとも３つのドライブの論理的に隣接するグループを実現するステップであって、前記ドライブのそれぞれは、（ｉ）先のドライブの圧縮データを格納するように構成された第１の領域と、（ｉｉ）前記ドライブの非圧縮データを格納するように構成された第２の領域と、（ｉｉｉ）次のドライブの圧縮データを格納するように構成された第３の領域と、（ｉｖ）ドライブコントローラに前記非圧縮データを送信するように構成された第１のポートと、（ｖ）前記ドライブの間で前記圧縮データを送信するように構成された第２のポートと、を有することを特徴とするステップと、
（Ｂ）前記論理的に隣接するグループの前記次のドライブに接続された第１のループを実現するステップと、
（Ｃ）前記論理的に隣接するグループの前記先のドライブに接続された第２のループを実現するステップと、
（Ｄ）前記第２のポートを通じて前記圧縮データを送信する前に、前記ドライブのそれぞれに格納された前記圧縮及び前記非圧縮データを圧縮及び解凍するように構成された圧縮／解凍回路を実現するステップであって、前記ドライブの１つのための前記非圧縮データは、前記ドライブの他の少なくとも２つに圧縮データとして格納されることを特徴とするステップと、
を備えるドライブアレイにおいて耐故障性を実現するための方法。
【請求項１７】
前記方法は、パリティを用いることなしに冗長性と耐故障性を確立することを特徴とする請求項１６に記載の方法。
【請求項１８】
前記装置は、ｎがドライブの数である場合に、２ｎ／３のドライブ故障までの耐故障性を提供することを特徴とする請求項１に記載の装置。
【請求項１９】
前記装置は、ｎがドライブの数である場合に、２ｎ／３のドライブ故障までの耐故障性を提供することを特徴とする請求項１４に記載の装置。
【請求項２０】
前記方法は、ｎが前記ドライブアレイにおけるドライブの数である場合に、２ｎ／３のドライブ故障までの耐故障性を提供することを特徴とする請求項１６に記載の方法。
【手続補正２】
【補正対象書類名】明細書
【補正対象項目名】０００１
【補正方法】変更
【補正の内容】
【０００１】
本願は、２０１０年３月２６日付けで出願された同時係属出願第１２／７３２，９０８号に関連し、その全体が援用される。